(57)【要約】      （修正有）【課題】継続して土に水分を供給でき、自動給水の目的を達成可能である使用に便利な自動給水植木鉢を提供する。【解決手段】外鉢１および内鉢２と、外鉢と内鉢を接続する吸水棒３を含み、吸水棒の一端が外鉢の底部に挿入され、他端が内鉢の土内に延伸し、内鉢の底面には内鉢と一体成型される突柱が設けられ、突柱は内鉢を外鉢と同等の高さ位置に突き当て、内鉢と外鉢の間に貯水タンク６が形成され、さらに水位計７が内部に載置されて、貯水タンク内の水位を随時観察する自動給水植木鉢を開示する。吸水棒は継続的に土へ水分を供給して自動給水を実現し、植木鉢に頻繁に給水せねばならないとの悩みを解決するため、実用的、時間短縮、労力削減、心理的負担の軽減といった利点を備える。【選択図】図２
0003195747.tif 000002
【実用新案登録請求の範囲】
【請求項１】
外鉢(１)および内鉢(２)と、外鉢(１)と内鉢(２)を接続する吸水棒(３)を含み、前記吸水棒(３)の一端が前記外鉢(１)の底部に挿入され、他端が前記内鉢(２)の土内に延伸し、前記内鉢(２)の底面には内鉢(２)と一体成型される突柱(４)が設けられ、突柱(４)は内鉢(２)を外鉢(１)と同等の高さ位置に突き当て、前記外鉢(１)と内鉢(２)により貯水タンク(６)が形成されることを特徴とする自動給水植木鉢。
【請求項２】
前記吸水棒(３)はナイロンプラスチック吸水棒であることを特徴とする請求項１に記載の自動給水植木鉢。
【請求項３】
前記吸水棒(３)の中央部分は中空であることを特徴とする請求項１または２に記載の自動給水植木鉢。
【請求項４】
前記吸水棒(３)の外周には前記中央の中空部分(３１)に連通する吸水小孔(３３)が開設されることを特徴とする請求項１または２に記載の自動給水植木鉢。
【請求項５】
前記吸水棒(３)における前記中央の中空部分(３１)に対して対称な周囲には、前記吸水棒(３)を貫通するいくつかの吸水孔(３２)が設けられることを特徴とする請求項１または２に記載の自動給水植木鉢。
【請求項６】
前記外鉢(１)と前記内鉢(２)とで形成された空間内に水位計(７)が装着され、水位計(７)は前記外鉢(１)の底部に挿入されることを特徴とする請求項１に記載の自動給水植木鉢。
【請求項７】
前記外鉢(１)と前記内鉢(２)にはキャップ(５)が設けられ、キャップ(５)には給水口(５１)が設けられることを特徴とする請求項１または６に記載の自動給水植木鉢。
【請求項８】
前記水位計(７)は前記給水口(５１)を通じて前記空間内に延伸することを特徴とする請求項６に記載の自動給水植木鉢。
【請求項９】
前記外鉢(１)は、底部の周囲にいくつかの孔(１２)が開設され、上部に通気孔(１１)が開設されることを特徴とする請求項１に記載の自動給水植木鉢。
【請求項１０】
前記外鉢(１)の内部には円形ガード(８)が載置されることを特徴とする請求項１に記載の自動給水植木鉢。
【考案の詳細な説明】
【技術分野】
【０００１】
本考案は植木鉢容器の技術分野に関し、特に、自動給水植木鉢に関する。
【背景技術】
【０００２】
現代社会では、多くの家庭や職場において植木鉢で各種植物を栽培し、空気や環境を浄化することが好まれている。現在、市場における大多数の植木鉢は植物や土を収容する容器にすぎず、自動給水は不可能であるが、この種のものを用いて植物を栽培するには頻繁な給水（およそ３日〜１週間に一度の給水）が必要である。多忙や出張により植木鉢への水補給が不十分となると、植物は必要な水分や養分が足りずに枯れてしまう。
【考案の概要】
【考案が解決しようとする課題】
【０００３】
本考案は、継続して土に水分を供給でき、自動給水の目的を達成可能である使用に便利な自動給水植木鉢を提供することを目的とする。
【０００４】
上記の技術的課題を解決するために、本考案は以下の技術方案を用いる。自動給水植木鉢であって、外鉢および内鉢と、外鉢と内鉢を接続する吸水棒を含み、前記吸水棒の一端が前記外鉢の底部に挿入され、他端が前記内鉢の土内に延伸し、前記内鉢の底面には内鉢と一体成型される突柱が設けられ、突柱は内鉢を外鉢と同等の高さ位置に突き当て、前記内鉢と外鉢により貯水タンクが形成されることを特徴とする。
【０００５】
さらに、前記吸水棒はナイロンプラスチック吸水棒である。
【０００６】
さらに、前記吸水棒の中央部分は中空である。
【０００７】
さらに、前記吸水棒の外周には前記中央の中空部分に接続される吸水小孔が開設される。
【０００８】
さらに、前記吸水棒における前記中央の中空部分に対して対称の周囲には、前記吸水棒を貫通するいくつかの吸水孔が設けられる。
【０００９】
さらに、前記外鉢と前記内鉢とで形成された空間内に水位計が装着され、水位計は前記外鉢の底部に挿入される。
【００１０】
さらに、前記外鉢と前記内鉢にはキャップが設けられ、キャップには給水口が設けられる。
【００１１】
さらに、前記水位計は前記給水口を通じて前記空間内に延伸する。
【００１２】
さらに、前記外鉢は、底部の周囲にいくつかの孔が開設され、上部に通気孔が開設される。
【００１３】
さらに、前記外鉢の内部には円形ガードが載置される。
【００１４】
本考案の有益な効果として、当該自動給水植木鉢は継続的に土へ水分供給が可能であり、自動給水を実現して、植木鉢に頻繁に給水せねばならないとの悩みを解決するため、実用的、時間短縮、労力削減、心理的負担の軽減といった利点を備える。
【図面の簡単な説明】
【００１５】
【図１】図１は本考案の構造図である。
【図２】図２は本考案の一実施例の構造図である。
【図３】図３は本考案における吸水棒の一実施例の構造図である。
【図４】図４は本考案における吸水棒の他の実施例の断面図である。
【図５】図５は本考案における他の実施例の構造図である。
【図６】図６は本考案における他の実施例の構造図である。
【考案を実施するための形態】
【００１６】
以下、実施例によって本考案を詳細に説明する。
【００１７】
図１は本考案の構造図である。本実施例において、自動給水植木鉢は外鉢１と内鉢２を含み、貯水タンク６内の水位を観察して水位が低い場合には速やかに貯水タンク６内へ水を補給しやすいよう、外鉢１の材料は透明プラスチック材料とされる。内鉢２には突柱４が装着されており、突柱４は内鉢を外鉢と同等の高さ位置に突き当てるとの役割を果たす。突柱４は一定の高さを備えることから、外鉢１と内鉢２の間には貯水タンク６が形成され、貯水タンク６には植物に必要な水が貯蓄される。吸水棒３は外鉢１と内鉢２を接続するために用いられる。吸水棒３はナイロンプラスチック吸水棒であって、吸水棒３の一端は外鉢１の底部に挿入されて植木鉢の水と直接接触し、他端は内鉢２の土内に延伸して土へ水分を供給する。外鉢１と内鉢２にはキャップ５が装着されており、水の補給が必要な場合にはキャップ５を直接取り外し、貯水タンク６内に水を補給する。ナイロンプラスチック吸水棒は吸水機能を有するため、内鉢２の土へ延伸する部分は土の湿潤を維持可能である。内鉢２内の土が乾燥すると、ナイロンプラスチック吸水棒内の水分がゆっくりと土内に浸透し、土の湿潤を維持して植物の生長に必要な水分を供給する。ナイロンプラスチック吸水棒における水の浸透は緩やかであるため、長時間にわたって給水が不要となり、自動給水の目的が達成される。
【００１８】
図２は本考案の他の実施例の構造図である。本実施例では水位を読み取り可能な水位計７が追加されており、外鉢１と内鉢２にはキャップ５が装着されている。キャップ５は装飾の役割を果たし、植木鉢をより見栄えよくしている。キャップ５には給水口５１が設けられており、給水口５１は、貯水タンク６の水量が不足した場合に内部へ水を補給する役割を果たす。また、給水口５１の別の重要な役割として、水位計７は給水口５１を通じて外鉢１の底部に挿入可能とされる。水位計７は空間内の水と直接接触して、随時水位を読み取り可能である。ここで、外鉢２の材料は、植木鉢の見栄えをよくするためにセラミックスまたは模様付きプラスチックであってもよい。キャップ５の給水口５１は開口式に設計され、これにより水補給がいっそう簡便となる。
【００１９】
図３は本考案の吸水棒３の一構造を示す。このような構造において吸水棒３の中央部分は中空とされ、こうした構造によれば吸水棒３の吸水量を増加可能となる。吸水棒３の周囲には吸水小孔３３が設けられ、吸水小孔３３は中央の中空部分３１に直接連通している。このような吸水小孔３３の設置により、吸水棒３の吸水速度が大幅に向上し、こうした吸水棒３を用いることで、吸水速度が向上するとともに吸水量も増加する。この種の吸水棒３は小型植物に適用される。
【００２０】
図４は本考案の吸水棒３の他の構造を示す。このような構造において、吸水棒３の中央部分は同様に中空とされるが、中空部分３１の周囲に吸水棒３を貫通するいくつかの吸水孔３２がさらに備えられ、これら吸水孔３２が中央の中空部分３１に対して対称に吸水棒３に配置される点で上記の構造とは異なる。このような構造の吸水棒３によれば、上記と比較して吸水量が大幅に増加するが、吸水速度は上記ほど良好ではなく、こうした吸水棒３は大型植物に適用される。ただし、上記２種類の構造の吸水棒３は、実際の必要性に応じて同時に植木鉢内に装着してもよい。
【００２１】
図５は、本考案におけるさらなる実施例を示す。本実施例では図１を元に、植木鉢に水位計７および給水口５１を設けていない。本実施例ではよりシンプルな方案を採用しており、外鉢１の底部周囲にいくつかの孔１２を開設し、これら孔１２は、水をこれらの孔１２を通じて貯水タンク６に進入可能とするとの役割を果たす。外鉢１の上部には通気孔１１が開設され、通気孔１１は、貯水タンク６の圧力を大気圧と等しく維持するとの役割を果たす。本実施例の植木鉢は水を張った盥や貯水池に放置され、植木鉢を盥に放置すると、盥の水が植木鉢底部の孔１２を通じて貯水タンク６内に進入する。通気孔１１を有することから、盥内の水位と貯水タンク６内の水位が同様の高さとなるまで、盥の水は容易に貯水タンク６に進入する。これによれば、盥内の水位を直接観察することで貯水タンク６内の水位を特定し、水の補給が必要か否かを判断可能となる。水の補給は盥に水を補給すればよく、水位計７を用いる必要はない。また、外鉢１の材料としては透明プラスチックまたはセラミックスを使用可能である。
【００２２】
図６に示すように、本実施例では外鉢１の内部に円形ガード８が載置される。ガード８は外鉢１の底面に対し一定の高さがあり、ガード８上に内鉢２が載置される。これにより、外鉢１と内鉢２により貯水タンク６が形成される。円形ガード８には円形の小孔が開設され、このような小孔は外鉢１と内鉢２を接続するよう吸水棒３を挿通可能である。ただし、本考案の植木鉢を用いる場合、外鉢１の材料は透明プラスチックとされ、外鉢１の底部には小孔１２が開設され、外鉢の上部には通気孔１１が開設されて、植木鉢は水を張った盥の中に放置される。
【００２３】
以上は本考案の望ましい実施形態にすぎず、本考案の権利範囲はこれにより制限されない。本考案の明細書および図面の内容を用いて実施される等価の構造または等価の工程の変換、あるいは他の関連技術分野における直接的または間接的応用は、いずれも同様に本考案の権利保護の範囲に包含される。
【図１】
0003195747.tif 000003
【図２】
0003195747.tif 000004
【図３】
0003195747.tif 000005
【図４】
0003195747.tif 000006
【図５】
0003195747.tif 000007
【図６】
0003195747.tif 000008